【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
着脱可能なユニットを有する装置において、該着脱可能なユニットの個別情報を読み取る個別情報読取方法であって、
着脱可能なユニットの表面に、個別情報の読み取りの基準信号を生成するための第１のラベルと、該個別情報を表わす第２のラベルとを配置し、
第１のラベル読取手段で、前記第１のラベルを予め決められた方向に読み取りながら、前記基準信号を生成し、
第２のラベル読取手段で、前記生成された基準信号に同期して、前記第２のラベルに表記された前記着脱可能なユニットの個別情報を読み取ることを特徴とする個別情報読取方法。
【請求項２】
前記第２のラベルは、前記個別情報のデータに対応する幅を有するバーを配置したバーコードであり、前記第１のラベルは、前記第２のラベルの各バーの幅をカウントする基準クロックを生成するバーコードであることを特徴とする請求項１に記載の個別情報読取方法。
【請求項３】
前記第１のラベルは、前記第２のラベルの各バーの幅をカウントする基準クロックを生成する等間隔にバーが配置されたバーコードであることを特徴とする請求項２に記載の個別情報読取方法。
【請求項４】
前記第２のラベルは、前記個別情報のデータに対応する数のバーを配置したバーコードであり、前記第１のラベルは、前記第２のラベルのバーの数をカウントするためのイネーブル信号を生成するバーコードであることを特徴とする請求項１に記載の個別情報読取方法。
【請求項５】
前記着脱可能なユニットは回転するユニットであって、前記第１及び第２のラベルは、ユニットの回転方向に、ユニットの回転方向と垂直の方向に延びたバーが配置されたバーコードであって、前記第１のラベルによる基準信号に同期して前記第２のラベルの個別情報を読み取ることができるように、前記第１のラベルと前記第２のラベルとは、ユニットの回転方向と垂直の方向に所定距離はなれて並んで配置されることを特徴とする請求項１乃至４のいずれか１つに記載の個別情報読取方法。
【請求項６】
前記装置は画像形成装置であり、前記着脱可能なユニットはトナーを補充するためのトナーボトルであることを特徴とする請求項５に記載の個別情報読取方法。
【請求項７】
前記着脱可能なユニットは装置に挿入されるユニットであって、前記第１及び第２のラベルは、ユニットを挿入する方向に、ユニットを挿入する方向と垂直方向に延びたバーが配置されたバーコードであって、前記第１のラベルによる基準信号に同期して前記第２のラベルの個別情報を読み取ることができるように、前記第１のラベルと前記第２のラベルとは、ユニットを挿入する方向と垂直の方向に所定距離はなれて並んで配置されることを特徴とする請求項１乃至４のいずれか１つに記載の個別情報読取方法。
【請求項８】
前記装置は画像形成装置であり、前記着脱可能なユニットはトナーを補充するためのトナーカートリッジであることを特徴とする請求項７に記載の個別情報読取方法。
【請求項９】
前記個別情報の読み取りは、前記装置の電源をオンする時又は前記着脱可能なユニットを装着する時に行われることを特徴とする請求項１乃至８のいずれか１つに記載の個別情報読取方法。
【請求項１０】
着脱可能なユニットの個別情報を読み取る個別情報読取装置であって、
個別情報の読み取りの基準信号を生成するための第１のラベルと、該個別情報を表わす第２のラベルとを表面に配置した着脱可能なユニットから、前記第１のラベルを予め決められた方向に読み取りながら、前記基準信号を生成する第１のラベル読取手段と、
前記生成された基準信号に同期して、前記第２のラベルに表記された前記着脱可能なユニットの個別情報を読み取る第２のラベル読取手段とを有することを特徴とする個別情報読取装置。
【請求項１１】
前記第２のラベルは、前記個別情報のデータに対応する幅を有するバーを配置したバーコードであり、前記第１のラベルは、前記第２のラベルの各バーの幅をカウントする基準クロックを生成するバーコードであり、
前記第２のラベル読取手段は、前記第１のラベルを読み取って生成した基準信号をクロック入力端子に接続し、前記第２のラベルを読み取って生成した信号をデータ入力端子に接続したフリップフロップを有することを特徴とする請求項１０に記載の個別情報読取装置。
【請求項１２】
前記第１のラベルは、前記第２のラベルの幅をカウントする基準クロックを生成する等間隔にバーが配置されたバーコードであることを特徴とする請求項１１に記載の個別情報読取装置。
【請求項１３】
前記第２のラベルは、前記個別情報のデータに対応する数のバーを配置したバーコードであり、前記第１のラベルは、前記第２のラベルのバーの数をカウントするためのイネーブル信号を生成するバーコードであり、
前記第２のラベル読取手段は、前記第１のラベルを読み取って生成した基準信号をイネーブル端子に接続し、前記第２のラベルを読み取って生成した信号をデータ入力端子に接続したフリップフロップを有することを特徴とする請求項１０に記載の個別情報読取装置。
【請求項１４】
前記着脱可能なユニットは回転するユニットであって、前記第１及び第２のラベルは、ユニットの回転方向に、ユニットの回転方向と垂直の方向に延びたバーが配置されたバーコードであって、前記第１のラベルによる基準信号に同期して前記第２のラベルの個別情報を読み取ることができるように、前記第１のラベルと前記第２のラベルとは、ユニットの回転方向と垂直の方向に所定距離はなれて並んで配置され、
前記第１及び第２のラベル読取手段は、前記装置の前記着脱可能なユニットの表面の前記第１及び第２のラベルにそれぞれ相対する位置に、ユニットの回転方向と垂直の方向に前記所定距離はなれて並んで配置されたバーコードセンサを有することを特徴とする請求項１０乃至１３のいずれか１つに記載の個別情報読取装置。
【請求項１５】
前記装置は画像形成装置であり、前記着脱可能なユニットはトナーを補充するためのトナーボトルであることを特徴とする請求項１４に記載の個別情報読取装置。
【請求項１６】
前記着脱可能なユニットは装置に挿入されるユニットであって、前記第１及び第２のラベルは、ユニットを挿入する方向に、ユニットを挿入する方向と垂直の方向に延びたバーが配置されたバーコードを有し、前記第１のラベルによる基準信号に同期して前記第２のラベルの個別情報を読み取ることができるように、前記第１のラベルと前記第２のラベルとは、ユニットを挿入する方向と垂直に所定距離はなれて並んで配置され、
前記第１及び第２のラベル読取手段は、前記装置の前記着脱可能なユニットの表面の前記第１及び第２のラベルにそれぞれ相対する位置に、ユニットを挿入する方向と垂直の方向に前記所定距離はなれて並んで配置されたバーコードセンサを有することを特徴とする請求項１０乃至１３のいずれか１つに記載の個別情報読取装置。
【請求項１７】
前記装置は画像形成装置であり、前記着脱可能なユニットはトナーを補充するためのトナーカートリッジであることを特徴とする請求項１６に記載の個別情報読取装置。
【請求項１８】
前記第１及び第２のラベル読取手段による個別情報の読み取りは、前記装置の電源をオンする時又は前記着脱可能なユニットを装着する時に行われることを特徴とする請求項１０乃至１７のいずれか１つに記載の個別情報読取装置。
【請求項１９】
請求項１０乃至１８のいずれか１つに記載の個別情報読取装置を有する画像形成装置。
【請求項２０】
読み取られた個別情報を記憶する記憶手段と、
前記記憶手段に既に記憶された個別情報と前記読み取った個別情報とを比較し、同じ識別情報を有する場合には前記着脱可能なユニットの再使用であることを認識する認識手段とを有することを特徴とする請求項１９に記載の画像形成装置。
【手続補正２】
【補正対象書類名】明細書
【補正対象項目名】００１６
【補正方法】変更
【補正の内容】
【００１６】
ここで、前記第２のラベルは、前記個別情報のデータに対応する幅を有するバーを配置したバーコードであり、前記第１のラベルは、前記第２のラベルの各バーの幅をカウントする基準クロックを生成するバーコードである。また、前記第１のラベルは、前記第２のラベルの各バーの幅をカウントする基準クロックを生成する等間隔にバーが配置されたバーコードである。また、前記第２のラベルは、前記個別情報のデータに対応する数のバーを配置したバーコードであり、前記第１のラベルは、前記第２のラベルのバーの数をカウントするためのイネーブル信号を生成するバーコードである。また、前記着脱可能なユニットは回転するユニットであって、前記第１及び第２のラベルは、ユニットの回転方向に、ユニットの回転方向と垂直の方向に延びたバーが配置されたバーコードであって、前記第１のラベルによる基準信号に同期して前記第２のラベルの個別情報を読み取ることができるように、前記第１のラベルと前記第２のラベルとは、ユニットの回転方向と垂直の方向に所定距離はなれて並んで配置される。また、前記装置は画像形成装置であり、前記着脱可能なユニットはトナーを補充するためのトナーボトルである。また、前記着脱可能なユニットは装置に挿入されるユニットであって、前記第１及び第２のラベルは、ユニットを挿入する方向に、ユニットを挿入する方向と垂直方向に延びたバーが配置されたバーコードであって、前記第１のラベルによる基準信号に同期して前記第２のラベルの個別情報を読み取ることができるように、前記第１のラベルと前記第２のラベルとは、ユニットを挿入する方向と垂直の方向に所定距離はなれて並んで配置される。また、前記装置は画像形成装置であり、前記着脱可能なユニットはトナーを補充するためのトナーカートリッジである。また、前記個別情報の読み取りは、前記装置の電源をオンする時又は前記着脱可能なユニットを装着する時に行われる。
【手続補正３】
【補正対象書類名】明細書
【補正対象項目名】００１８
【補正方法】変更
【補正の内容】
【００１８】
また、本発明の画像形成装置は、上記個別情報読取装置を有することを特徴とする。更に、読み取られた個別情報を記憶する記憶手段と、前記記憶手段に既に記憶された個別情報と前記読み取った個別情報とを比較し、同じ識別情報を有する場合には前記着脱可能なユニットの再使用であることを認識する認識手段とを有する。